【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
複数のアクセスポイント装置を接続する第１のネットワークと、該アクセスポイント装置に第２のネットワークを介して接続される少なくとも１つの端末とを有するネットワークシステムであって、
前記端末は、ネットワーク上で当該端末を特定可能なアドレスである第１のアドレスを格納する端末側記憶手段と、当該第１のアドレスを前記アクセスポイント装置に通知する端末側送受信手段を備え、
前記アクセスポイント装置は、前記第１のネットワークへのデータ送受信を行う際に前記端末を特定可能であり、前記端末が前記複数のアクセスポイント装置のいずれかに移動した場合であっても同一のアドレスとなる第２のアドレスを発行する第２アドレス発行手段と、前記第２のネットワーク内で前記端末を特定可能な第３のアドレスを発行する第３アドレス発行手段と、前記第２のアドレスおよび前記第３のアドレスを前記端末に通知するアクセスポイント側送受信手段と、前記第１のアドレスと前記第２のアドレスと前記第３のアドレスとを関連付けて格納するアクセスポイント側記憶手段とを備え、
前記アクセスポイント装置は、前記端末からアクセスがあった場合であって前記端末に前記第２のアドレスが割り当てられていない場合に、前記第２アドレス発行手段により前記第２のアドレスを生成することを特徴とするネットワークシステム。
【請求項２】
請求項１記載のネットワークシステムであって、
前記第１のアドレスは、グローバルアドレスであることを特徴とするネットワークシステム。
【請求項３】
請求項１記載のネットワークシステムであって、
前記アクセスポイント装置は、前記端末に既に該第２のアドレスを発行したか否かを記憶するフラグを有し、前記端末に第２のアドレスを発行していない場合に前記第２アドレス発行手段を用い、前記第２のアドレスを発行することを特徴とするネットワークシステム。
【請求項４】
請求項１記載のネットワークシステムであって、
前記アクセスポイント装置に前記第２のネットワークを介して接続された端末が当該アクセスポイント装置にアクセスした場合、
前記アクセスポイント装置は、前記端末に前記第２のアドレスを割当ても良いか否かを他のアクセスポイント装置に問合せて判定する手段とを有することを特徴とするネットワークシステム。
【請求項５】
請求項１記載のネットワークシステムであって、
前記端末が、第２のアクセスポイント装置が管理する第２のネットワークを介して該第２のアクセスポイント装置にアクセスした場合、
前記端末は、前記第２のアドレスを前記第２のアクセスポイント装置に通知し、
前記第２のアクセスポイント装置は、前記端末に対し前記第３アドレス発行手段を用いて他の第３のアドレスを発行するとともに、当該他の第３のアドレスと前記第２のアドレスと当該第２のアクセスポイント装置を特定する情報を、前記アクセスポイント装置に通知し、
前記アクセスポイント装置では、前記アクセスポイント側記憶手段に格納された前記第１のアドレスと前記第２のアドレスと前記第３のアドレスとの組を前記第１のアドレスと前記第２のアドレスと前記他の第３のアドレスの組に更新して格納し、該更新結果を前記第２のアクセスポイント装置に送信することを特徴とするネットワークシステム。
【請求項６】
請求項５記載のネットワークシステムであって、
第１のアクセスポイント装置に接続された第１の端末が、前記第１のアクセスポイント装置に接続された後第２のアクセスポイント装置に移動した第２の端末に対して個別電文を送信する場合、
前記第１の端末は、前記第１のアクセスポイント装置に対して前記個別電文を送信し、
前記第１のアクセスポイント装置は、前記アクセスポイント装置側記憶手段に格納されたアドレス情報の組を参照して、前記第２のアクセスポイント装置に前記個別電文を転送することを特徴とするネットワークシステム。
【請求項７】
請求項６記載のネットワークシステムであって、
前記第１のアクセスポイント装置は、転送情報宛先を前記第２のアクセスポイント装置のアドレスとするとともに、前記転送情報に前記他の第３のアドレスを含めて転送する手段を有することを特徴とするネットワークシステム。
【請求項８】
請求項６記載のネットワークシステムであって、
前記個別電文は、ユニキャストであることを特徴とするネットワークシステム。
【請求項９】
請求項５記載のネットワークシステムであって、
第１のアクセスポイント装置に接続された第１の端末が、前記第１のアクセスポイント装置に接続された後第２のアクセスポイント装置に移動した第２の端末に対して同報電文を送信する場合、
前記第１の端末は、前記第１のアクセスポイント装置に対して前記同報電文を送信し、
前記第１のアクセスポイント装置は、前記同報電文のコピーを生成して、前記同報電文のコピーに対してヘッダ情報を追加し、前記アクセスポイント装置側記憶手段に格納されたアドレス情報の組を参照して、前記ヘッダ情報の転送情報宛先を前記第２のアクセスポイント装置のアドレスとするとともに、前記転送情報に前記他の第３のアドレスを含めて、前記同報電文を個別電文として転送する手段を有することを特徴とするネットワークシステム。
【請求項１０】
請求項９記載のネットワークシステムであって、
前記同報電文は、ブロードキャストあるいはマルチキャストであることを特徴とするネットワークシステム。
【請求項１１】
第１のネットワークを介して他の複数のアクセスポイント装置に接続され、第２のネットワークを介して少なくとも１つの端末に接続されるアクセスポイント装置であって、
前記第２のネットワークを介して前記端末から、ネットワーク上で当該端末を特定可能なアドレスである第１のアドレスを受信する手段と、
前記端末を前記第１のネットワーク内で特定可能であり、前記端末が前記他の複数のアクセスポイント装置のいずれかが管理する第2のネットワークに移動した場合であっても同一のアドレスとなる第２のアドレスを発行する第２アドレス発行手段と、
前記第２のネットワーク内で前記端末を特定可能な第３のアドレスを発行する第３アドレス発行手段と、
前記第２のアドレスおよび前記第３のアドレスを前記端末に通知する送受信手段と、
前記第１のアドレスと前記第２のアドレスと前記第３のアドレスとを関連付けて格納する記憶手段とを備え、
前記端末からアクセスがあった場合であって前記端末に前記第２のアドレスが割り当てられていない場合に、前記第２アドレス発行手段により前記第２のアドレスを生成することを特徴とするアクセスポイント装置。
【請求項１２】
請求項１１記載のアクセスポイント装置であって、
前記端末に既に該第２のアドレスを発行したか否かを記憶するフラグを有し、前記端末に第２のアドレスを発行していない場合に前記第２アドレス発行手段を用い、前記第２のアドレスを発行することを特徴とするアクセスポイント装置。
【請求項１３】
請求項１１記載のアクセスポイント装置であって、
前記端末に前記第２のアドレスを割り当てた場合、前記第２のアドレスを割当たことを他のアクセスポイント装置に通知する手段と、
前記端末が既に第２のアドレスを保持している場合は当該端末から前記第２のアドレスを取得する手段とを有するアクセスポイント装置。
【請求項１４】
請求項１１記載のアクセスポイント装置であって、
前記端末が、他のアクセスポイント装置が管理する第２のネットワークを介して該他のアクセスポイント装置にアクセスした場合、
前記他のアクセスポイント装置から、前記端末から第２のアドレスを受信し、前記端末に対し前記第３アドレス発行手段を用いて他の第３のアドレスを発行するとともに、当該他の第３のアドレスと前記第２のアドレスと当該他のアクセスポイント装置を特定する情報を受信し、
前記記憶手段に格納された前記第１のアドレスと前記第２のアドレスと前記第３のアドレスとの組を前記第１のアドレスと前記第２のアドレスと前記他の第３のアドレスの組に更新して格納し、該更新結果を前記他のアクセスポイント装置に送信することを特徴とするアクセスポイント装置。
【請求項１５】
請求項１４記載のアクセスポイント装置であって、
当該アクセスポイント装置に接続された第１の端末が、当該アクセスポイント装置に接続された後他のアクセスポイント装置に移動した第２の端末に対して個別電文を送信する場合、
前記第１の端末からは前記個別電文を送信し、前記記憶手段に格納されたアドレス情報の組を参照して、前記他のアクセスポイント装置に前記個別電文を転送することを特徴とするアクセスポイント装置。
【請求項１６】
請求項１５記載のアクセスポイント装置であって、
転送情報宛先を前記他のアクセスポイント装置のアドレスとするとともに、前記転送情報に前記他の第３のアドレスを含めて転送する手段を有することを特徴とするアクセスポイント装置。
【請求項１７】
請求項１５記載のアクセスポイント装置であって、
前記個別電文は、ユニキャストであることを特徴とするアクセスポイント装置。
【請求項１８】
請求項１４記載のアクセスポイント装置であって、
当該アクセスポイント装置に接続された第１の端末が、当該アクセスポイント装置に接続された後他のアクセスポイント装置に移動した第２の端末に対して同報電文を送信する場合、
前記第１の端末から前記同報電文を送信し、前記同報電文のコピーを生成して、前記同報電文のコピーに対してヘッダ情報を追加し、前記記憶手段に格納されたアドレス情報の組を参照して、前記ヘッダ情報の転送情報宛先を前記他のアクセスポイント装置のアドレスとするとともに、前記転送情報に前記他の第３のアドレスを含めて、前記同報電文を個別電文として転送する手段を有することを特徴とするアクセスポイント装置。
【請求項１９】
請求項１８記載のアクセスポイント装置であって、
前記同報電文は、ブロードキャストあるいはマルチキャストであることを特徴とするアクセスポイント装置。
【請求項２０】
第１のネットワークを介して他の複数のアクセスポイント装置に接続されるアクセスポイント装置に第２のネットワークを接続される端末装置であって、
前記第２のネットワークを介して、ネットワーク上で当該端末装置を特定可能なアドレスである第１のアドレスをアクセス先のアクセスポイント装置に送信する手段と、
前記アクセスポイント装置から、当該端末装置を前記第１のネットワーク内で特定可能であり、当該端末装置が前記他の複数のアクセスポイント装置のいずれかが管理する第2のネットワークに移動した場合であっても同一のアドレスとなる第２のアドレスと、前記第２のネットワーク内で当該端末装置を特定可能な第３のアドレスとを受信する手段と、
前記第１のアドレスと前記第２のアドレスと前記第３のアドレスとを関連付けて格納する記憶手段とを備え、
当該端末装置は、自端末装置に前記第２のアドレスが割り当てられていない場合に、前記アクセスポイント装置にアクセスして前記第２のアドレスを取得することを特徴とする端末装置。
【請求項２１】
請求項２０記載のアクセスポイント装置であって、
前記端末は、既に該第２のアドレスを発行したか否かを記憶するフラグを有し、第２のアドレスを取得していない場合に前記アクセスポイント装置にアクセスして前記第２のアドレスを取得することを特徴とする端末装置。
【請求項２２】
請求項２０記載の端末装置であって、
前記端末装置が、他のアクセスポイント装置が管理する第２のネットワークを介して該他のアクセスポイント装置にアクセスした場合、
前記他のアクセスポイント装置に、前記第２のアドレスを送信し、前記アクセスポイント装置から他の第３のアドレスを受信し、
前記記憶手段に格納された前記第１のアドレスと前記第２のアドレスと前記第３のアドレスとの組を前記第１のアドレスと前記第２のアドレスと前記他の第３のアドレスの組に更新して格納することを特徴とする端末装置。